(57)【特許請求の範囲】
【請求項１】
着脱可能なカメラユニット内に、該カメラユニット及び本体の情報を格納する第１の格納手段と、本体と本体に接続可能な情報付加装置との接続情報を格納する第２の格納手段とを備え、
前記第２の格納手段で格納された接続情報に基づいて所望の制御を行う制御手段を備えることを特徴とする画像読取装置。
【請求項２】
前記第１及び第２の格納手段は、１つの格納手段として構成されていることを特徴とする請求項１記載の画像読取装置。
【請求項３】
前記着脱可能なカメラユニット内に、前記画像読取装置で読取った画像を格納するフィルムを備えることを特徴とする請求項１記載の画像読取装置。
【請求項４】
前記第２の格納手段に格納される接続情報は、既に前記フィルムに格納されている画像を読取った際の、本体と本体に接続可能な情報付加装置との接続情報であることを特徴とする請求項３記載の画像読取装置。
【請求項５】
更に、前記着脱可能なカメラユニット内に保持された接続情報と、本体と本体に接続されている情報付加装置との接続状況を比較し、前記接続情報における使用条件に適合するか否かを判断する判断手段を備えることを特徴とする請求項１又は４に記載の画像読取装置。
【請求項６】
前記判断手段での判断結果が不適合の場合、その旨を報知することを特徴とする請求項５記載の画像読取装置。
【請求項７】
前記判断手段での判断結果が不適合の場合、前記接続状況に対応した新たな接続情報を前記第２の格納手段に格納し、画像読取を行うことを特徴とする請求項５記載の画像読取装置。
【請求項８】
着脱可能なカメラユニットにおいて、該カメラユニット及び本体の情報を格納する第１の格納工程と、本体と本体に接続可能な情報付加装置との接続情報を格納する第２の格納工程とを有し、
前記第２の格納工程で格納された接続情報に基づいて所望の制御を行う制御工程を有することを特徴とする画像読取装置の制御方法。
【請求項９】
更に、前記着脱可能なカメラユニット内に保持された接続情報と、本体と本体に接続されている情報付加装置との接続状況を比較し、前記接続情報における使用条件に適合するか否かを判断する判断工程を有し、
前記判断工程での判断結果が不適合の場合、その旨を報知することを特徴とする請求項８記載の画像読取装置の制御方法。
【発明の詳細な説明】
【０００１】
【産業上の利用分野】
本発明は、着脱可能なカメラユニットにより被写体上の画像情報を読み取り、被写体上或いは記録媒体上に所望の情報を記録できる画像読取装置及びその制御方法に関するものである。
【０００２】
【従来の技術】
従来、カメラにより紙上の画像情報を読み取り、マイクロフィルムに保存する画像読取装置には、カメラユニットが着脱できるように構成されている機種もある。従って、複数の本体が存在する場合、前回の撮影に使用した本体が何らかの理由で使用できない状態でも、他の本体を使用して撮影することができる。
【０００３】
また、撮影と同時に所望の被写体上或いは記録媒体上に記録する情報付加装置を備えた画像読取装置もある。情報付加装置には、元々本体構成の一部であるものと、周辺機器として後から本体に着脱可能なものがある。以下、前者を「内蔵型」、後者を「後付け型」と呼ぶことにする。
【０００４】
【発明が解決しようとする課題】
しかしながら、上記従来例では、カメラユニット内の記憶装置が保持している付加情報装置に関する情報は、内蔵型の情報付加装置に関する情報だけであり、後付け型の情報付加装置に関する情報は本体内の記憶装置が記憶しているだけである。また、複数の本体が存在する場合は、後付け型の情報付加装置が全ての本体に装備されているとは限らないので、以下のような問題が発生する。
（１）使用者は後付け型情報付加装置の情報を再設定する必要がある。
（２）後付け型情報付加装置は本体内の記憶装置に記憶されている情報に従って設定されるので、使用者が所望しない情報を付加してしまう場合がある。
（３）後付け型情報付加装置を使用して撮影していたカメラユニットを情報付加装置が装備されていない本体で使用した場合でも撮影可能になる。
【０００５】
上記各問題により、単に操作性が低下するだけではなく、所望の情報を付加できないことによる誤撮影の原因となっている。特に記録媒体にフィルムを使用している場合には、撮影の結果が判るのはフィルムを現像した後であり、現像後のフィルムを修正することは事実上不可能であることを考慮すれば、上記各問題は画像記録装置に取って致命的な問題となる。
【０００６】
本発明は、上記課題を解決するために成されたもので、操作性の向上及び誤撮影を防止できる画像読取装置及びその制御方法を提供することを目的とする。
【０００７】
【課題を解決するための手段】
上記課題を解決するために、本発明の画像読取装置の制御方法は以下の工程を有する。
【０００８】
即ち、着脱可能なカメラユニットにおいて、該カメラユニット及び本体の情報を格納する第１の格納工程と、本体と本体に接続可能な情報付加装置との接続情報を格納する第２の格納工程とを有し、前記第２の格納工程で格納された接続情報に基づいて所望の制御を行う制御工程を有する。
【０００９】
また、上記課題を解決するために、本発明による画像読取装置は以下の構成を備える。
【００１０】
即ち、着脱可能なカメラユニット内に、該カメラユニット及び本体の情報を格納する第１の格納手段と、本体と本体に接続可能な情報付加装置との接続情報を格納する第２の格納手段とを備え、前記第２の格納手段で格納された接続情報に基づいて所望の制御を行う制御手段を備える。
【００１２】
【実施例】
以下、図面を参照しながら本発明に係る好適な一実施例を詳細に説明する。
【００１３】
まず、本実施例における画像読取装置の概要について説明する。
【００１４】
図１は、一般的な画像読取装置の構成の一例を表す図である。図１において、１０３は本体の各種設定を行うための入力部と各種情報を表示するための表示部とで構成される操作パネル、２０１は被写体を置くための給紙トレイ、２０２は撮影された被写体が積載される排紙トレイ、２０３は給紙制御の指示を与えるための給紙スイッチ、２０５は図４に示すカメラユニット２１０を挿入するためのカメラユニット挿入口である。操作パネルは、上述のように表示部と入力部とに分けられ、表示部には液晶表示板や蛍光表示板等の表示素子が使用され、入力部にはタクトスイッチ等のスイッチ類の他にタッチパネル等が使用される。
【００１５】
図２は、上述の画像読取装置の内部構造を示す断面図である。図２において、２００は被写体、２０６（破線内）は下部搬送系、６００（破線内）は上部搬送系、６０１は被写体２００を照射する照明ユニット、２０７はガイドガラスである。６０２は駆動部であり、不図示の動力伝達部により下部搬送系２０６と上部搬送系６００に接続され、それぞれの搬送系を駆動する。下部及び上部の搬送系２０６，６００は、ベルト、ローラー、ベアリング等の機構部品で構成される。駆動部６０２には、一般にモーターが使用される。動力伝達部は、ギア・ベルト・プーリー等の組み合わせで構成される。照明ユニット６０１は、ランプなどの発光部品と反射鏡などの光学部品で構成され、一般にランプにはハロゲンランプや蛍光灯が使用される。
【００１６】
ここで、給紙トレイ２０１に積載された被写体２００は、下部搬送系２０６によって１枚ずつ順次本体内を搬送され、ガイドガラス２０７を通過する際に照明ユニット６０１により照射される。その際、得られる画像情報がカメラユニット２１０に送られて撮影される。撮影された被写体２００は上部搬送系６００によって搬送され、排紙トレイ２０２に積載される。
【００１７】
図３は、上述の画像読取装置の光学系の構造を示す図である。図３において、２０８はスリット、２０９は被写体２００からの反射光を上述のカメラユニット２１０に導くためのミラー群である。
【００１８】
図４は、カメラユニット２１０の外観を示す図である。図４において、２２１は後述の記録媒体であるフィルムの供給側蓋ユニット、２２２はフィルムの巻き取り側蓋ユニット、２２０は供給側蓋ユニット２２１に設けられたカメラユニットの情報を表示するカメラ表示部である。供給側蓋ユニット２２１及び巻き取り側蓋ユニット２２２は、カメラユニット２１０内部の記録媒体を交換する時に、個別に開けることができる。また、両蓋ユニット２２１及び２２２が撮影途中の状態で開いてしまうと、外来光によりフィルムが露光してしまうので、撮影途中では不図示のロック機構により両蓋ユニット２２１及び２２２が開かないように固定されており、フィルム取り出しのために所定の操作を行うと、ロック機構が外れ、両蓋ユニット２２１及び２２２が開けられるように構成されている。
【００１９】
図５は、カメラユニットの表示部の構成を示す図である。図５に示すように、カメラ表示部２２０に表示される情報としては、カメラユニット２１０の識別を表すＩＤナンバー２３０、フィルム残量２４０、カメラが使用途中である場合に両蓋ユニット２２１及び２２２がロック状態であることを示すロック表示２５０、撮影モードの一種であるＤＵＯモード（往復撮影）の時の撮影面表示２６０がある。これらの情報は、カメラユニット２１０内部の記憶装置（詳細は後述する）に保持されている。
【００２０】
図６は、カメラユニット２１０の内部構造を示す図である。図６において、２１１は記録媒体であるフィルム、２１２はそのフィルム２１１の供給側リール、２１３は巻き取り側リール、２１４はフィルムの搬送を行うキャプスタンローラ、２１５は縮小撮影を行うためのレンズ系、２１６は光量を減衰する絞り機構であり、２１５と２１６で投影レンズ１０４を構成する。２１７はシャッタ機構である。
【００２１】
また、投影レンズ１０４の縮小率を変えたカメラユニット２１０を数種類用意しておき、本体のカメラスロット２０５に挿入するカメラユニット２１０を交換することで、異なる縮小率で被写体２００の画像情報をフィルム２１１上に記録することが可能な構成になっている。
【００２２】
図７は、本体内の情報付加装置６１０の光学系を示す図である。この光学系によって所望の情報を記録媒体２１１上に書き込むことが可能になっている。図７において、８００は情報付加装置６１０が発した光をミラー群２０９等も用いてカメラユニット２１０内の記録媒体２１１上に導くためのミラーである。また、情報付加装置６１０は不図示の制御部からの指示に応じて発光する発光部で構成され、一般に発光部は複数のＬＥＤ等の発光素子が図８に示すように並んだ構造をしている。図８は、記録媒体の移動方向と発光部の配列方向の関係を示す図である。ここで記録媒体の移動に同期して制御部が発光部に対して１ラインの発光パターン信号を送り、発光部がその信号に応じて発光することにより、記録媒体上に所望の情報を記録することが可能になっている。
【００２３】
一般に情報付加装置６１０は「コマナンバユニット」と呼ばれることもある。また、本体内には「コマナンバユニット」と呼ばれる情報付加装置６１０の他に本画像読取装置で記録媒体上に撮影した画像情報を、検索機で検索する際に使用する「検索マーク」を記録媒体上に写し込む装置もある。図９に示す９００はその装置であり、一般に「検索マーク写し込みユニット」と呼ばれる。
【００２４】
図９は、検索マーク写し込みユニット９００に関する光学系を示す図である。この検索マーク写し込みユニット９００は、単数又は複数のＬＥＤ等の発光部で構成されている。また、検索マーク写し込みユニット９００が発した光はミラー群２０９も用いてカメラユニット２１０内の記録媒体２１１上に導かれる。検索マーク写し込みユニット９００の発光部は、不図示の制御部の指示に応じて所定のタイミング且つ所定の時間発光することにより、記録媒体上の所定の位置に所定の長さの検索マークを写し込む動作を行う。
【００２５】
また、本画像読取装置は、図１０に示すように下部搬送系２０６内に情報付加装置６２０を追加するか、又は上部搬送系６００内に情報付加装置６３０を追加することにより、被写体２００上に所望の情報を付加することができる。但し、撮影位置の関係から判るように、情報付加装置６２０によって付加された情報は画像情報と共にフィルム２１１に記録されるが、情報付加装置６３０による情報は被写体２００上に記録されるだけである。各情報付加装置６２０及び６３０のように本体に接続され、機能を果たすユニットをここでは周辺機器と呼ぶことにする。情報付加装置６２０及び６３０には様々な種類があるが、ここでは両情報付加装置とも同じ種類のものであるとして説明を行う（構造及び動作説明は更に後述する）。尚、一般に、情報付加装置６２０はシーケンシャルプリンタ（ＳＱプリンタ）、また情報付加装置６３０はエンドーサと呼ばれることもある。
【００２６】
図１１は、本体とカメラユニット２１０、両情報付加装置６２０及び６３０の電気的接続状態を示すブロック図である。図において、１００は本体全体を制御する制御部、１０１は本体の基本的な設定値などのデータや制御部１００が動作するために必要なプログラムを記憶する記憶装置、１０２は本体を使用することによって変化する値や、主に使用者による設定値を記憶する記憶装置、１０３は使用者が本画像読取装置の制御を行うための入力部と、本画像読取装置の状態を表示する表示部を備えた操作パネルである。１０４はバスあり、バス１０４に接続された各装置はチップセレクト信号、アドレス信号、データ信号、タイミング信号などの信号をバス１０４を使用して送受信しているので、相互に情報の交換が可能な構成になっている。また、１００〜１０３までの各部及び情報付加装置６１０はバス１０４に接続しているので、相互に必要な情報の交換を行うことができる。
【００２７】
１０５は給紙口近傍に設けられた紙検知器、１０６は排紙口近傍に設けられた紙検知器であり、各紙検知器１０５及び１０６は被写体２００の状態をそれぞれ検知する。また、各紙検知器１０５及び１０６は制御部１００に接続されているので、制御部１００は被写体２００の搬送状況を知ることができる。一般に、各紙検知器１０５及び１０６には、フォトインタラプタ等のような非接触センサを用いるが、マイクロスイッチ等のようなスイッチや接触型センサを使用することもできる。９００は上述した検索マーク写し込み装置である。また制御部１００は、本体各部の不図示の検知器、駆動部或いは切り換え装置等に接続されているので、本体全体の制御を行うことができる。
【００２８】
１１０は情報付加装置６２０全体を制御する制御部であり、バス１０４に接続されているので、バス１０４に接続されている他の各部と同様に、相互に必要な情報の交換を行うことができる。１１１は制御部１１０に接続され、制御部１１０の指示に従い、被写体２００に対して情報の付加を実行する印字部、１１２は情報付加装置６２０の基本的な設定値などのデータや制御部１１０が動作するために必要なプログラムを記憶する記憶装置、１１３は情報付加装置６２０を使用することによって変化する値や、主に使用者による設定値を記憶する記憶装置である。１１４はバスであり、各記憶装置１１２、１１３及び制御部１１０はバス１１４に接続されているので、必要な情報を相互に交換することができる。
【００２９】
１２０は情報付加装置６３０全体を制御する制御部であり、バス１０４に接続されているので、バス１０４に接続されている他の各部と同様に、相互に必要な情報の交換を行うことができる。１２１は制御部１２０に接続され、制御部１２０の指示に従い、被写体２００に対して情報の付加を実行する印字部、１２２は情報付加装置６３０の基本的な設定値などのデータや制御部１２０が動作するために必要なプログラムを記憶する記憶装置、１２３は情報付加装置６３０を使用することによって変化する値や、主に使用者による設定値を記憶する記憶装置である。１２４はバスであり、各記憶装置１２２、１２３及び制御部１２０はバス１２４に接続されているので、必要な情報を相互に交換することができる。
【００３０】
尚、両情報付加装置６２０及び６３０は以下のように動作する。
【００３１】
各印字部１１１、１２１は、独立して動作する複数の印字機構１１５が図１２に示すように並んだ構造をしている。各制御部１１０、１２０は各印字部１１１、１２１の印字機構１１５に対し、動作・非動作の信号を送る。動作信号を受けた印字機構１１５は印字を行い、非動作信号を受けた印字機構１１５は印字動作を行わない。これにより、被写体上のある１ラインに印字パターンが形成される。そして、上述の動作を被写体の搬送に同期して繰り返し行うことにより、被写体上に所望の情報を付加することができる。また、情報付加装置６１０も根本的な情報付加の原理は同様であり、その説明は省略する。
【００３２】
１３０はカメラユニット２１０の制御部であり、カメラユニット２１０が上段のカメラ挿入口２０５に挿入された状態では、本体の制御部１００に接続され、カメラユニット２１０内に保持された情報などを通信することができる。１３２はカメラユニット２１０の基本的な設定値などのデータや制御部１３０が動作するために必要なプログラムを記憶する記憶装置、１３３はカメラユニット２１０を使用することによって変化する値や、主に使用者による設定値を記憶する記憶装置である。１３４はバスであり、各記憶装置１３２、１３３はバス１３４に接続されているので、必要な情報を相互に交換することができる。
【００３３】
１３０（ｄ）〜１３４（ｄ）は、下段のカメラ挿入口に挿入されたカメラユニットの構成要素であり、上段のカメラユニットの構成と全く同じなので、番号に（ｄ）を付けることで区別する。また、上段と下段のカメラユニットを区別する必要が無い場合には上段のカメラユニットを用いて説明するが、下段のカメラユニットに対しても同様の説明が成り立つ。
【００３４】
上述した構成において、各制御部１００、１１０、１２０、１３０には、演算素子、一般にＣＰＵと呼ばれる部品が使用される。また、記憶装置の内、１０１、１１２、１２２、１３２には一般にＲＯＭが使用され、また１０２、１１３、１２３、１３３には書換可能なＲＡＭが使用される。一般に、上述の目的で使用されるＲＡＭは、電源遮断時にも内部に書き込まれたデータが消失しないように不図示の電池などの電源によってバックアップされている。尚、電気的にデータの変更が可能なＲＯＭの一種であるＥＥＰＲＯＭ等を使用することも可能である。この場合、電源のバックアップは不要になる。
【００３５】
以上の構成において、本画像読取装置の使用者は、始めに操作パネル１０３から本体と周辺機器に関する設定を行う。これにより、制御部１００は操作パネル１０３上に各情報付加装置６１０、６２０、６３０のそれぞれに対する付加情報入力を要求する表示を行い、使用者による付加情報の入力を待つ。使用者が操作パネル１０３を介して付加情報の入力を行うと、制御部１００は各情報付加装置６１０、６２０、６３０の付加情報毎に記憶装置１０２に書き込む。この時元々本体構成の一部である情報付加装置６１０に関する情報だけは、制御部１００から制御部１３０に送られた後、記憶装置１３３に書き込まれる。
【００３６】
付加情報の内容としては、情報の内容が変化しない固定情報と、情報の内容が撮影を行うことによって変化する可変情報に分けられる。固定情報の一例としては、会社名や撮影者の名前等があり、また可変情報の一例としては、被写体一枚（或いは所定の条件）毎にカウントアップ（或いはダウン）するカウンター情報が挙げられる。
【００３７】
給紙トレイ２０１に被写体２００を積載し、給紙スイッチ２０３を「ＯＮ」にすると、撮影が開始される。下部搬送系２０６によって被写体２００が一枚ずつ搬送されると、給紙検知器２０３が被写体２００の搬送状態を検知する。給紙検知器２０３による検知結果が制御部１００に送られると、制御部１００は各制御部１１０、１２０、１３０に対してそれぞれの情報付加装置に応じた付加情報を記憶装置１０２から転送し、同時にそれぞれの情報付加装置に応じたタイミング信号をバス１０４を介して送信する。
【００３８】
一方、付加情報を受け取った各制御部は、各記憶装置に保持されているデータを用いて付加情報を１ライン毎の印字パターンに分解し、タイミング信号に合わせてそれぞれの印字部或いは発光部に送ることで、所望の情報を付加することができる。尚、付加情報の内、カウンター情報のような可変情報に対しては、紙検知器１０５或いは１０６の紙搬送に関する検知結果によって制御部１００で情報の変更を行い、記憶装置１０２の情報を更新している。
【００３９】
このように、被写体２００が搬送されることによって撮影が行われると同時に、各情報付加装置６１０、６２０、６３０により所望の情報が付加され、結果として被写体２００と記録媒体２１１は図１３に示すようになる。
【００４０】
図１３において、２００（Ｆ）は被写体２００の表側、２００（Ｂ）は被写体２００の裏側である。被写体２００の両面には、それぞれ６８０（Ｆ）と６８０（Ｂ）で示される画像が存在する。２１１は記録媒体としてのフィルムであり、撮影動作により被写体２００上の各画像情報６８０（Ｆ）、６８０（Ｂ）がそれぞれ６９０（Ｆ）、６９０（Ｂ）として記録される一方、６５０は情報記憶装置６１０によって直接フィルム２１１以上に付加された情報の一例であり、一般に「コマナンバー」と呼ばれる。６６０の英文字は、前述のように被写体２００が実際には撮影される前に付加されるので、実際の撮影動作によりフィルム２１１上に６６５で示される情報として記録される。一方、６７０は情報付加装置６３０によって被写体の裏側２００（Ｂ）に印字された情報の一例である。６７０は上述したように被写体２００が実際に撮影された後に付加されるので、フィルム２１１上には記録されない。尚、１０００は検索マーク写し込みユニット９００によってフィルム２１１に記録された検索マークである。
【００４１】
ここで、撮影を終了するには、給紙スイッチ２０３を「ＯＦＦ」にする。この結果、下部搬送系２０６が停止し、本体内に被写体２００がなくなると上部搬送系６００が停止し、被写体の搬送が行われなくなり撮影が終了する。この時、各情報付加装置で使用した付加情報には、上述したように撮影を行うことによって情報の内容が変更される可変情報が含まれている場合もあるので、当初設定した付加情報とは内容が異なることがある。
【００４２】
そこで、給紙スイッチ２０３が「ＯＦＦ」にされたことを制御部１００が検知すると、制御部１００はその時点での付加情報の内容を記憶装置１０２に保持すると同時に、制御部１００はカメラユニット２１０の制御部１３０を介して情報付加装置６３０に関する情報を記憶装置１３３に書き込むことで、カメラユニット内の情報を更新する。この処理により、各情報付加手段に関する最新の情報が電源をオフした後でも記憶装置１０２及び１３３によって保持される。
【００４３】
また、撮影を再開する時には、上述したように記憶装置１０２には各情報付加装置に関する情報が記憶されており、更に記憶装置１３３には情報付加装置６１０の情報が記憶されているので、制御部１００はこれらの記憶装置に記憶されている情報を引き出すことで、各情報付加装置を設定することができる。この処理によって撮影再開時には、前回の撮影終了後の付加情報を継続して使用することが可能である。
【００４４】
（第１の実施例）
次に、本発明に係る第１の実施例における画像読取装置について説明する。
【００４５】
図１４は、第１の実施例による画像読取装置本体、カメラユニット２１０、及び各情報付加装置６２０、６３０の構成を示すブロック図である。図１４において、７００は本体に接続される周辺機器である情報付加装置６２０及び６３０に関する情報を記憶するために、着脱可能なカメラユニット２１０内に設けられた記憶装置（メモリ）である。即ち、カメラユニット２１０内に記憶装置７００を設けることが構成上の特徴である。
【００４６】
尚、記憶装置７００は情報の書き換えが可能なだけでなく、本体からの電源供給がない場合でも記憶の保持が可能なように、不図示の電池等の電源供給手段によりバックアップされた素子であり、一般的にはＲＡＭが使用される。また記憶装置７００にＥＥＰＲＯＭと呼ばれる電気的にデータの書き換えが可能なＲＯＭを使用することも可能であり、この場合には電池等の電源供給手段によるバックアップは不要になる。
【００４７】
図１４の構成を用いることで、全ての情報付加装置に関する情報を本体の記憶装置（メモリ）１０２だけでなく、カメラユニット２１０内にも保持することが可能になる。従って、撮影に使用する本体を交換した場合でも、カメラユニット２１０内に保持されている情報を用い、本体構成に含まれる情報付加装置６１０だけでなく、周辺機器である情報付加装置６２０及び６３０も、カメラユニット２１０を装着するだけで自動的に設定することが可能になる。
【００４８】
図１５は、第１の実施例における画像読取装置の動作を示すフローチャートである。
【００４９】
まず、ステップＳ１０１において、本体、各情報付加装置６２０、６３０及びカメラユニット２１０の各制御部が各記憶装置に保持されているプログラム及びデータに従ってセットアップ動作を行う。次に、ステップＳ１０２では、カメラユニット２１０が装着されたかチェックし、装着されたのを確認するとステップＳ１０３に進み、制御部１３０を介して記憶装置１３３及び７００から情報付加装置６１０、６２０、６３０に関する情報を読み出し、記憶装置１０２の所定の領域に書き込む。尚、カメラユニット２１０に対して情報付加装置に関する情報が設定されたことがない場合、或いは各情報付加装置の内、使用していない装置については、情報が存在しないので、記憶装置１０２の該当する部分には情報が存在しないことを表す「空データ」を書き込み、操作パネル１０３の表示の該当部分は空欄となる。
【００５０】
次に、ステップＳ１０４では、記憶装置１０２に書き込んだ情報を操作パネル１０３上に表示し、ステップＳ１０５で、操作パネル１０３に表示した情報付加装置に関する情報に対して使用者が変更を加えたか否かを判断する。ここで変更がない場合には撮影準備終了となるが、変更がある場合にはステップＳ１０６に進み、変更後の情報を記憶装置１０２に書込み、続くステップＳ１０７で記憶装置１３３及び７００に記憶されている情報を更新後の情報に書き換えて撮影準備完了となる。即ち、使用者が所望する付加情報を用いて撮影する準備が、情報に変更がない場合にはほぼ自動で設定され、完了することになる。
【００５１】
次に、ステップＳ１０８において、給紙スイッチ２０３が「ＯＮ」になると、撮影を開始し、続くステップＳ１０９では、紙検知器１０５から制御部１００に対して被写体２００を検知したことを示す信号が送られる。これにより、制御部１００は本体各部に対して制御信号を送り、所定の撮影動作を行う。また同時に、記憶装置１０２に保持されている付加情報が各情報付加装置６１０、６２０、６３０に送られ、被写体２００又は記憶媒体２１１に対して記憶装置１０２から送られてきた情報の付加を行う。更に、制御部１００は記憶装置１０２に保持されている、各情報付加装置６１０、６２０、６３０に関する情報の更新を行う。そして、ステップＳ１１０では、給紙スイッチ２０３が「ＯＦＦ」になるまで、上述のステップＳ１０９に戻り、撮影を続行する。
【００５２】
その後、給紙スイッチ２０３が「ＯＦＦ」になると、ステップＳ１１１に進み、記憶装置１０２に書き込まれている全情報付加装置が次回付加動作を行う際に使用する情報（以下、「最新情報」と呼ぶ。）を、制御部１３０を介して記憶装置１３３及び７００の所定の位置に上書きする。この時、本体の設定関係の情報、情報付加装置６１０に関する情報、及び上述のカメラユニット２１０に関する情報は記憶装置１３３の、撮影開始前にそれらの情報が書き込まれていた位置に上書きされ、本体に接続される周辺機器である情報付加装置６２０及び６３０に関する情報は記憶装置７００の、撮影開始前にそれらの情報が書き込まれていた位置に上書きされる。
【００５３】
上述の動作により、カメラユニット２１０内の記憶装置１３３及び７００には情報付加装置６１０、６２０、６３０に関する最新情報が記憶されているので、撮影を再開する時には、たとえ使用する本体が前回撮影に使用した本体と異なる場合でも、使用する本体の周辺機器が前回の撮影に使用した本体上に接続されていれば、使用者が再設定する必要無しに前回と同じ撮影条件で継続撮影が可能になる。
【００５４】
尚、撮影動作が続行中、即ち、ステップＳ１１０で給紙スイッチが「ＯＦＦ」になる前に被写体２００が全て搬送されたにも拘らず、給紙スイッチが「ＯＦＦ」されない場合には、制御部１００に対して給紙センサ１０５或いは排紙センサ１０６から信号が送られなくなる。
【００５５】
この状態では各情報付加装置に関する情報が更新されることがないので、その時点で記憶装置１０２に記憶されている情報が最新情報となる。従って、制御部１００に対して給紙センサ１０５或いは排紙センサ１０６からの信号が送られない状態が一定時間継続した場合には、記憶装置１０２に書き込まれている全情報付加装置の最新情報を、制御部１３０を介して記憶装置１３３及び７００の所定の位置に上書きする動作（ステップＳ１１１）を行い、その後ステップＳ１０９に戻るように制御することも可能である。
【００５６】
また、ステップＳ１０９の動作終了後、ステップＳ１１０に進む前にステップＳ１１１の処理を行う、即ち、ステップＳ１０９の動作終了後、直ちに記憶装置１００に保持されている情報を、カメラユニット２１０内の制御部１３０を介して記憶装置１３３及び７００に書き込むように構成することも可能である。
【００５７】
このように構成することで、給紙スイッチ２０３を「ＯＦＦ」にする前に本体の電源を切ってしまった場合にも、カメラユニット２１０の記憶装置１３３及び７００の最新情報を保持させることができる。
【００５８】
また、本体の電源が「ＯＦＦ」の状態では、装着されたカメラユニット２１０が外せないように本体を構成しておき、カメラユニット２１０が装着された状態で本体の電源が「ＯＮ」にされた場合に、ステップＳ１０３でカメラユニット内の記憶装置１３３及び７００から情報を読み出している部分を、本体の記憶装置１０２から情報を読み出すように制御することも可能であり、この結果、停電等、本体への電源供給が途絶えた状態が予期せるタイミングで発生し、カメラユニット２１０への情報転送が行われなかった場合でも、本体の記憶装置１０２には常に最新情報が記憶されているので、電源復帰後には継続撮影が可能になる。
【００５９】
図１４の構成において、周辺機器である情報付加装置６２０及び６３０に関する情報をカメラユニット２１０に記憶させるために記憶装置７００を設けているが、記憶装置１３３がその付加情報を含めたカメラユニットが記憶するべき情報を全て保持できるだけの容量があれば、情報付加装置６２０及び６３０に関する情報を記憶装置１３３に書き込むようにすることもできる。この場合、記憶装置７００は不要になる。
【００６０】
また、図１４に示すように、画像読取装置は２つのカメラユニットを同時に装着することも可能であり、２つのカメラユニットを用いた撮影方法として、以下の３通りがある。
【００６１】
▲１▼  一方のカメラユニットだけを選択して撮影する、独立撮影。
【００６２】
▲２▼  両方のカメラユニットで同時に撮影する、同時撮影。
【００６３】
▲３▼  一方のカメラユニットだけで撮影を行い、他方のカメラユニットは待機状態になっており、撮影側のカメラユニットの記録媒体が終了した時に待機側のカメラユニットに撮影を引き継ぎ、その間に記録媒体の交換を行い待機状態のカメラユニットとして、本体への装着を可能にすることで、撮影の継続を可能にする、チェイン撮影。
【００６４】
まず、独立撮影の場合には、選択されたカメラユニットが保持している情報に従って本体及び周辺機器の設定を行い、撮影終了時には、撮影に使用したカメラユニットの記憶装置に情報を書き込む。従って、上段のカメラ挿入口に装着されたカメラユニットを選択した場合には、記憶装置１３３及び７００に保持されている情報に基づいて本体及び周辺機器の設定を行い、撮影終了後は最新の情報を記憶装置１３３及び７００に書き込む。一方、下段のカメラ挿入口に装着されたカメラユニットを選択した場合には、記憶装置１３３’及び７００’に保持されている情報に基づいて本体及び周辺機器の設定を行い、撮影終了後は最新の情報を記憶装置１３３’及び７００’に書き込む。
【００６５】
また、同時撮影については、主な目的が一方の記録媒体を他方のバックアップとすることであるため、撮影を行う際に同時に装着する相手のカメラユニットを特定する「ペアカメラ設定」を行う。「ペアカメラ設定」されたカメラユニット対は、常に同時に撮影に用いられることになり、保持する情報も常に同じとなる。従って、撮影開始時には、一方のカメラユニットが保持している情報に基づいて本体及び周辺機器の設定を行い、撮影終了時には、両方のカメラユニットの記憶装置に対して最新の情報を書き込む。もちろん、情報を保持するカメラユニットを一方に限定し、常にそのカメラユニットに対して情報の読み出し、書き込みを行う方法もあるが、両方のカメラユニットに書き込んでおくことにより、情報の保持性を高めることができる。
【００６６】
そして、チェイン撮影の場合、画像を含む情報の連続性を保つために、撮影を行う際に同時に装着する相手のカメラユニットを特定する「チェインカメラ設定」を行う。この「チェインカメラ設定」されていないカメラユニットを待機側のカメラユニットとして本体に装着しても、撮影の引継は行われない。「チェインカメラ設定」されたカメラユニット対は、常に自分が撮影側カメラユニットか、待機側カメラユニットかを示す情報を記憶装置１３３或いは１３３’に保持している。従って、本体の制御部１００はその情報に従って撮影側のカメラユニットが記憶している情報に基づいて本体及び周辺機器の設定を行う。撮影終了後には、最新情報のカメラユニットへの書き込みは、基本的には両カメラユニットに対して行われるが、記録媒体を交換するために待機側のカメラユニットが本体から外されている場合もある。この状態では、古い情報を持ったカメラユニットが待機側カメラユニットとして本体に装着されることになるので、撮影途中のカメラユニット装着時には両カメラユニットに対して最新情報の書き込みを行う、或いは次回の撮影引継時にへ両カメラユニットが確実に装着されているので、引継を行う前に両カメラユニットに対して最新情報の書き込みを行うことにより、情報の連続性を保つことが可能になる。
【００６７】
（第２の実施例）
次に、本発明に係る第２の実施例における画像読取装置について説明する。
【００６８】
第２の実施例では、カメラユニット内の記憶装置１３３及び７００に保持されている情報付加装置６２０及び６３０に関する付加情報と、周辺機器である情報付加装置と本体との接続情報とを照合することにより、撮影条件に適合する画像読取装置を選択しているか否かを判断し、不適当な画像読取装置を選択している場合には、撮影禁止にすると共に使用者に対して警告することで、誤撮影を防止することを目的としている。
【００６９】
以下、第２の実施例による画像読取装置の動作を図１６に示すフローチャートに従って説明する。尚、制御部等の構成は第１の実施例と同じである。
【００７０】
まず、ステップＳ２０１でセットアップ動作が終了すると、ステップＳ２０２に進み、本体の制御部１００が本体に接続されている周辺機器の接続状況を確認する。この確認動作の一例としては、制御部１００が情報付加装置６２０の制御部１１０に対して確認信号を信号線１０４を用いて送信する。これにより、制御部１１０はその確認信号に対して予め決められた応答信号を信号線１０４を用いて返送する。そして、応答信号を受け取った制御部１００は情報付加装置６２０が接続されていることを認識し、装置が接続されていることを表す接続情報を、記憶装置１０２の所定の位置に書き込む。
【００７１】
一方、情報付加装置６２０が接続されていない場合には、制御部１００からの確認信号に対して制御部１１０から応答信号が送られてこないので、制御部１００は確認信号送信後、所定の時間が過ぎても応答信号が得られない時には、情報付加装置６２０が接続されていないと判断し、接続されていないことを表す接続情報を記憶装置１０２の所定の位置に書き込む。情報付加装置６３０に対しても同様の処理で接続状態を確認し、接続情報を記憶装置１０２の所定の位置に書き込む。上述の処理を行うことにより、本体の制御部１００は周辺機器の接続状況を把握することができる。
【００７２】
ステップＳ２０２の処理が終了するとステップＳ２０３に進み、本体にカメラユニット２１０が装着されたかチェックし、装着されたならばステップＳ２０４に進む。このステップＳ２０４では、カメラユニット２１０内の記憶装置１３３及び７００が保持している情報を読み出し、記憶装置１０２の所定の位置に書き込む。そして、ステップＳ２０５において、制御部１００がステップＳ２０２で得た周辺機器の接続情報と、ステップＳ２０４で得たカメラユニットが保持していた情報とを比較し、本体と周辺機器の接続状況が撮影条件に適合するか否かを判断する。ここで、撮影条件に適合すると判断した場合にはステップＳ２０６に進み、その後は第１の実施例と同様に処理を進め、撮影を行う。
【００７３】
一方、ステップＳ２０５で不適合と判断した場合、例えばカメラユニットから読み出した情報に情報付加装置６２０に関する情報（但し、空データは除く）が含まれているにも拘らず、本体に情報付加装置６２０が接続されていない時には、所望の情報を付加した撮影を行えないので、ステップＳ２１４で、操作パネル１０３上に正常な撮影が行えないことを示す警告を表示する。次に、ステップＳ２１５では、制御部１００が信号線１０９に接続された不図示のカメラユニット排出部を動作させ、カメラユニットを機外へ排出することにより、この本体での撮影を禁止する。
【００７４】
このように、第２の実施例によれば、所望の撮影を行うのに必要な周辺機器が接続されていない本体を選択したことにより生じる、誤撮影を未然に防ぐことができる。
【００７５】
また、図１７に示すように、記憶装置１３３及び７００に保持されている情報に基づいてカメラユニットの表示部２２０に撮影を行う際に必要な周辺機器を表示、或いは周辺機器の情報を表示することで、使用者が撮影に使用する本体を選択する際に撮影条件に適合しない本体を選ばないように注意を促すことも可能である。図１７において、２７０はカメラユニット２１０内の記憶装置１３３及び７００が、情報付加装置６２０に関する情報を保持している時に点灯する表示器であり、２８０はカメラユニット２１０内の記憶装置１３３及び７００が、情報付加装置６３０に関する情報を保持している時に点灯する表示器である。表示器２７０及び２８０は共にカメラ表示部２２０内に設けることも可能であり、また別にＬＥＤ等の発光素子を用いることも可能である。更には、図１５のステップＳ２０２で本体と周辺機器の接続状況を制御部１００が認識した時に、記憶装置１０２に接続情報を書き込むだけでなく、操作パネル１０３上にも表示することにより、使用者が撮影条件に適合しない本体を選ばないように注意を促す効果を増すこともできる。
【００７６】
尚、本体と本体に接続される周辺機器である情報付加装置６２０（６３０）との接続情報を確認するには、図１８に示すように、本体に周辺機器が接続された場合、レベルが変化するように構成しておき、そのレベル変化を制御部１００が検知することで、周辺機器の接続状態を把握するようにすることも可能である。即ち、図１８に示す構成では、本体に周辺機器が接続されていない時は、制御部１００に対して“Ｈ”レベルの信号が送られ、周辺機器を接続するとこの信号のレベルが“Ｌ”に変化する。この信号レベルの変化により、制御部１００は周辺機器の接続状態を把握することができる。また、接続状態を把握するために上述した両方法を併用することも可能である。
【００７７】
尚、実施例において説明した本体と周辺機器の接続情報を制御部１００が把握する各方法は、本体にカメラユニット２１０が装着されたことを制御部１００が把握する方法として、適用することも可能である。
【００７８】
（第３の実施例）
次に、本発明に係る第３の実施例における画像読取装置について説明する。
【００７９】
第２の実施例では、本体と周辺機器の接続状態が撮影条件に適合しない場合、撮影禁止にしていたのに対し、第３の実施例では、情報付加装置６２０及び６３０による情報付加が行われないことを条件に、撮影を許可していることが特徴である。
【００８０】
以下、第３の実施例による画像読取装置の動作を図１９〜図２１に示すフローチャートに従って説明する。
【００８１】
まず、ステップＳ３０１からステップＳ３０４までは、第２の実施例と同様に処理を進め、ステップＳ３０５で本体と周辺機器の接続状態が、撮影条件に適合しないことが判断されるとステップＳ３１５に進み、警告を操作パネル１０３上に表示する。そして、ステップＳ３１６では、使用者が強制撮影を望むか否かを判断し、強制撮影を望まない場合にはステップＳ３１７に進み、第２の実施例と同様にカメラユニット２１０を排出し、撮影禁止とする。
【００８２】
一方、ステップＳ３１６で強制撮影を望む場合には、正常時の撮影とほぼ同じシーケンスで進むが、ステップＳ３２３で撮影を行う際に、制御部１００が記憶装置１０２の付加情報を更新しても、当然のことながら、接続されていない情報付加手段による情報付加は行われない。そして、ステップＳ３２４で撮影終了と判断されると、ステップＳ３２５で記憶装置１０２に保持されている最新情報をカメラユニット内の記憶装置１３３及び７００に転送する。ここで、正常に情報付加を行った情報付加装置に関する最新情報は旧情報上に上書きするが、接続されていない情報付加装置に関する最新情報は旧情報とは異なる場所に書き込む。即ち、接続されていなかった情報付加装置については、カメラユニット内に新・旧２つの情報が保持されることになる。
【００８３】
また、ステップＳ３０５で、本体と周辺機器との接続状態が撮影条件を満たす画像読取装置にカメラユニットを装着した場合、ステップＳ３０６に進み、前回正常に情報付加を行わなかった情報付加装置に関しては、新・旧２つの情報が存在することから判断され、シーケンスはステップＳ３２６に進む。このステップ３２６では、使用者に新情報と旧情報の何れかを選択させるために操作パネル上に両情報の表示を行い、ステップＳ３２７で、使用者の選択に応じてシーケンスを変更する。ここで、使用者が新情報の使用を選択した場合、ステップＳ３２８に進み、記憶装置１０２、１３３及び７００の旧情報を新情報に更新する。そして、選択しない場合も含めてステップＳ３２９で新情報が仮に書き込まれていた部分を消去する。これにより、カメラユニット及び本体の情報保持状態は、通常状態に復帰する。ステップＳ３２９での処理が終了すると、ステップＳ３０７に進み、通常動作のシーケンスに戻る。
【００８４】
このように、使用者が希望する場合は、正常な撮影は行われないことを使用者が認識した上で撮影を行うことができるだけでなく、正常な環境に戻った時には付加情報を継続して使用することも可能になる。
【００８５】
これに対し、図２２、図２３に示すフローチャートでは、強制撮影を行う場合、接続されていない周辺機器に関する情報を消去している。これは、強制撮影を行う場合は、撮影条件に関する使用者の意図が変更されたととらえ、接続されていない周辺機器に関する情報を保持する必要がない、という考えに基づくものである。
【００８６】
ステップＳ４１５において、強制撮影を選択するとステップＳ４１７に進み、接続していない周辺機器に関する情報を記憶装置１０２、１３３及び７００から消去する。ステップＳ４１７での処理が終了すると、ステップＳ４０６に進み、通常シーケンスに戻る。
【００８７】
尚、ステップＳ４１７で、接続されていない周辺機器に関する情報を消去するだけでなく、ある意図に基づき、所定の情報或いは全情報を消去するなどの処理を行うこともできる。
【００８８】
また、上述の強制撮影を行う際に、使用可能な情報付加装置或いは検索マーク写し込みユニットを用いて被写体上或いは記録媒体上に、強制撮影によって撮影されていることを示すマークを付加することも可能である。図２４は、情報付加装置６２０が接続されていない状態で強制撮影を行った場合、他の情報付加装置６１０、６３０及び検索マーク写し込み装置９００で強制撮影であることを示すマークを付けた例を示す図である。同図において、６５１は情報付加装置６１０によって６５０と同時に記憶媒体２１１に付加された強制撮影であることを示すマーク、６７１は情報付加装置６３０によって６７０と同時に被写体２００（Ｂ）に付加された強制撮影であることを示すマーク、１００１は検索マーク写し込み装置９００によって１０００と同時に記録媒体２１１に写し込まれた強制撮影であることを示すマークである。
【００８９】
図２４に示すようなマークを付けることにより、本画像読取装置の使用者は、撮影された被写体や記録媒体を見た時に、正常に撮影された被写体或いは画像か、強制撮影された被写体或いは画像かを判断することができる。
【００９０】
また、強制撮影であることを示すマークは、情報付加装置６１０と検索マーク写し込み装置９００で記録媒体上に付加するだけに止めれば、本画像読取装置の使用者は撮影・現像後の記録媒体を見ることにより、強制撮影によって撮影された画像であることが判るだけでなく、元の被写体を正常な撮影を行うために必要な周辺機器が接続された本体を用い、正常な撮影状態で再撮影を行うことも可能である。
【００９１】
更に、強制撮影を行う際に、接続されていない情報付加装置毎に付加する強制撮影であることを示すマークを変更することにより、どの付加情報が付加されていないか判るようにすることもできる。
【００９２】
尚、本発明は、複数の機器から構成されるシステムに適用しても、１つの機器から成る装置に適用しても良い。
【００９３】
また、本発明はシステム或いは装置にプログラムを供給することによって達成される場合にも適用できることは言うまでもない。
【００９４】
【発明の効果】
以上説明したように、本発明によれば、着脱可能なカメラユニット内に、画像読取装置の本体設定情報を記憶する手段だけでなく、本体に接続される周辺機器の情報を記憶する手段を設けることにより、以下の事項を可能にする。
【００９５】
１．カメラユニット内に保持されている情報に基づき、本体だけでなく本体に接続されている周辺機器の設定も行うことができる。
【００９６】
２．カメラユニット内に保持されている情報に基づき、撮影に使用する画像読取装置の本体と周辺機器の接続状態が撮影条件に適合しているか否かを判断し、不適当と判断された場合には、撮影を禁止する。
【００９７】
３．カメラユニット内に保持されている情報に基づき、撮影に使用する画像読取装置の本体と周辺機器の接続状態が撮影条件に適合しているか否かを判断し、不適当と判断された場合にも、条件付きで強制撮影を許可し、強制撮影時の情報変化をカメラユニット内に記憶することで、次回の正常撮影時に情報の継続使用を可能にする。
【００９８】
４．カメラユニット内に保持されている情報に基づき、撮影に使用する画像読取装置の本体と周辺機器の接続状態が撮影条件に適合しているか否かを判断し、不適当と判断された場合にも、使用者が新しい撮影状態を望む場合には、所定の情報を消去し、情報の再設定を認めた後、強制撮影を許可する。
【００９９】
以上の各事項を可能にすることにより、操作性が向上するだけでなく、誤設定による誤撮影を未然に防ぐことが可能になる。特に、本体に接続されている周辺機器が撮影条件に適合しているか否かを使用者に認識させることができるので、撮影条件に適合していない本体での撮影を防ぐことが可能である。
【０１００】
また、強制撮影を行う場合にも、使用者が強制撮影であることを認識することができるので、使用者に情報の再設定を促すことができる、或いは次回正常撮影の際、強制撮影によって変化した情報を使用者が忘れずに反映することができる。このように、操作性の向上だけでなく、誤撮影を防止することは、記録媒体が修正不可能なフィルムなどの場合、また被写体に直接情報を付加する周辺機器の場合、必要不可欠なことである。
【０１０１】
【図面の簡単な説明】
【図１】一般的な画像読取装置の構成の一例を表す図である。
【図２】上述の画像読取装置の内部構造を示す断面図である。
【図３】上述の画像読取装置の光学系の構造を示す図である。
【図４】カメラユニット２１０の外観を示す図である。
【図５】カメラユニットの表示部の構成を示す図である。
【図６】カメラユニット２１０の内部構造を示す図である。
【図７】本体内の情報付加装置６１０の光学系を示す図である。
【図８】記録媒体の移動方向と発光部の配列方向の関係を示す図である。
【図９】検索マーク写し込みユニット９００に関する光学系を示す図である。
【図１０】周辺機器を装着した画像読取装置の内部構造を示す断面図である。
【図１１】本体とカメラユニット２１０、両情報付加装置６２０及び６３０の構成を示すブロック図である。
【図１２】被写体の搬送方向と印字機構の配列方向との関係を示す図である。
【図１３】情報を付加された被写体と記録媒体の状態を表す図である。
【図１４】第１の実施例による画像読取装置本体、カメラユニット２１０、及び各情報付加装置６２０、６３０の構成を示すブロック図である。
【図１５】第１の実施例における画像読取装置の動作を示すフローチャートである。
【図１６】第２の実施例における画像読取装置の動作を示すフローチャートである。
【図１７】カメラユニットの表示部の表示例を表す図である。
【図１８】本体と周辺機器の接続状態を検知するための一構成例を表す図である。
【図１９】第３の実施例における画像読取装置の動作を示すフローチャートである。
【図２０】第３の実施例における画像読取装置の動作を示すフローチャートである。
【図２１】第３の実施例における画像読取装置の動作を示すフローチャートである。
【図２２】変形例における画像読取装置の動作を示すフローチャートである。
【図２３】変形例における画像読取装置の動作を示すフローチャートである。
【図２４】強制撮影であることを示すマークが付けられた例を示す図である。
【符号の説明】
１００  制御部
１０１  記憶装置（ＲＯＭ）
１０２  記憶装置（ＲＡＭ等）
１０３  操作パネル
１０５  給紙センサ
１０６  排紙センサ
２０１  給紙口
２０２  排紙トレイ
２０３  給紙スイッチ
２０５  カメラ挿入口
２０６  下部搬送系
６００  上部搬送系
６０１  照明ユニット
６０２  駆動部
６１０  情報付加装置（コマナンバーユニット）
９００  検索マーク写し込み装置
１３０  制御部
１３２  記憶装置（ＲＯＭ）
１３３  記憶装置（ＲＡＭ等）
２２０  カメラ表示部
７００  （周辺機器情報用）記憶装置（ＲＡＭ等）
１１０  制御部
１１１  印字部
１１２  記憶装置（ＲＯＭ）
１１３  記憶装置（ＲＡＭ等）
１２０  制御部
１２１  印字部
１２２  記憶装置（ＲＯＭ）
１２３  記憶装置（ＲＡＭ等）
【図１】
0003624002.tif 000002
【図２】
0003624002.tif 000003
【図３】
0003624002.tif 000004
【図４】
0003624002.tif 000005
【図５】
0003624002.tif 000006
【図６】
0003624002.tif 000007
【図７】
0003624002.tif 000008
【図８】
0003624002.tif 000009
【図９】
0003624002.tif 000010
【図１０】
0003624002.tif 000011
【図１１】
0003624002.tif 000012
【図１２】
0003624002.tif 000013
【図１３】
0003624002.tif 000014
【図１４】
0003624002.tif 000015
【図１５】
0003624002.tif 000016
【図１６】
0003624002.tif 000017
【図１７】
0003624002.tif 000018
【図１８】
0003624002.tif 000019
【図１９】
0003624002.tif 000020
【図２０】
0003624002.tif 000021
【図２１】
0003624002.tif 000022
【図２２】
0003624002.tif 000023
【図２３】
0003624002.tif 000024
【図２４】
0003624002.tif 000025